(57)【特許請求の範囲】
【請求項１】
洗い場側空間に面する浴槽エプロンと、下方に洗い場側空間の一部を開けて左右側のいずれか一方側に配置したカウンターとを備え、浴槽エプロンは、作業口を開口して左右方向へ延びるエプロン本体と、エプロン本体に着脱可能に取付けて作業口を覆う内蓋と、エプロン本体の一方側を覆う一方の外蓋と、一方の外蓋に隣接してエプロン本体の他方側を覆う着脱自在な他方の外蓋とを備え、一方の外蓋とカウンターの端部とを接近させて前後で対向させ、他方の外蓋とカウンターの端部とを前後で対向させない浴室において、作業口及び内蓋が、エプロン本体における一方の外蓋と前後で対向する領域及び他方の外蓋と前後で対向する領域の両方に跨がる大きさに形成されていることを特徴とする浴槽エプロン及びカウンターを備えた浴室。
【請求項２】
洗い場側空間に面する浴槽エプロンと、下方に洗い場側空間の一部を開けて左右側のいずれか一方側に配置したカウンターとを備え、浴槽エプロンは、作業口を開口して左右方向へ延びるエプロン本体と、エプロン本体に着脱可能に取付けて作業口を覆う内蓋と、エプロン本体の一方側を覆う一方の外蓋と、一方の外蓋に隣接してエプロン本体の他方側を覆う着脱自在な他方の外蓋とを備え、一方の外蓋とカウンターの端部とを接近させて前後で対向させ、他方の外蓋とカウンターの端部とを前後で対向させない浴室において、作業口が、他方の外蓋と前後で対向する位置に設けられて、一方側の開口縁部の一部又は全部を両方の外蓋の境界と前後で対向させ、この作業口を覆う内蓋が、エプロン本体の内の一方の外蓋と前後で対向する領域まで延びる大きさに形成されていることを特徴とする浴槽エプロン及びカウンターを備えた浴室。
【請求項３】
前記エプロン本体の内の前記一方の外蓋と前後で対向する領域に、エプロン本体へ向かって弾圧する押圧片を備えた取付具が設けられ、他方から一方へ向かってエプロン本体と押圧片の間へ差し込んだ前記内蓋の縁部をエプロン本体に圧着させた請求項１又２記載の浴槽エプロン及びカウンターを備えた浴室。
【請求項４】
前記エプロン本体及び前記一方の外蓋の各々における前記カウンターの端部と前後で対向する領域内に、配管を通すための配管挿通部が開設され、前記内蓋が、これら配管挿通部と前後方向で見たときに重なり合わない大きさに形成されている請求項１、２又３記載の浴槽エプロン及びカウンターを備えた浴室。
【発明の詳細な説明】
【技術分野】
【０００１】
本発明は、浴槽エプロン及びカウンターを備えた浴室に関するものである。
【背景技術】
【０００２】
従来、浴槽エプロン及びカウンターを備えた浴室５１は、図１０に示す如く、図中手前側の洗い場側空間Ｓに面する浴槽エプロン５２と、下方に洗い場側空間Ｓの一部Ｓａを開けて一方端側に配置したカウンター５６を備え、浴槽エプロン５２が、作業口５３ａを開口して一方から他方へ延びるエプロン本体５３と、エプロン本体５３に着脱可能に取付けて作業口５３ａを覆う内蓋５４と、エプロン本体５３に取付けてエプロン本体５３及び内蓋５４を覆う外蓋５５とを備え、外蓋５５を一方の外蓋５５Ａと他方の外蓋５５Ｂとに分割し、一方の外蓋５５Ａとカウンター５６の端部を接近させて対向させ、他方の外蓋５５Ｂとカウンター５６の端部を対向させないものがある（特許文献１）。
【特許文献１】特開２００６−２３０５３３号公報
【発明の開示】
【発明が解決しようとする課題】
【０００３】
ところで、従来の浴室５１は、エプロン本体５３に一方の外蓋５５Ａを取付けた後にカウンター５６を配置して施工すると、施工後では、一方の外蓋５５Ａ及び一方の外蓋５５Ａで覆われた一方の内蓋５４を取外そうとしても、カウンター５６が邪魔となるため、一方の作業口５３ａ−１を開口させることができない。そのため、作業者は、浴槽エプロン５２で覆われた浴槽設置側領域の内の、一方の作業口５３ａ−１に隣接する一方側領域に対して洗い場側空間Ｓ側から作業を行うとき、この一方側領域から離れている他方の作業口５３ａ−２から作業を行うしかないため、作業がし難かった。またエプロン本体５３における外蓋５５Ａと対向する領域及び外蓋５５Ｂと対向する領域の両方に跨がる仕切部５３ｂが一方の作業口５３ａ−１と他方の作業口５３ａ−２の間に存在するため、作業者は、他方の作業口５３ａ−２から一方側領域に対して作業を行うときに仕切部５３ｂが邪魔となって、一方側領域における組立てや保守点検等の作業がし難かった。
【０００４】
本発明は、上記問題を解決するために、浴槽エプロンで覆われた浴槽設置側領域の内のカウンターと対向する側の一方側領域に対する作業をし易くした浴室の提供を目的とする。
【課題を解決するための手段】
【０００５】
浴槽エプロンで覆われた浴槽設置側領域の内のカウンターと対向する側の一方側領域に対する作業をし易くするために請求項１記載の本発明が採用した手段は、洗い場側空間に面する浴槽エプロンと、下方に洗い場側空間の一部を開けて左右側のいずれか一方側に配置したカウンターとを備え、浴槽エプロンは、作業口を開口して左右方向へ延びるエプロン本体と、エプロン本体に着脱可能に取付けて作業口を覆う内蓋と、エプロン本体の一方側を覆う一方の外蓋と、一方の外蓋に隣接してエプロン本体の他方側を覆う着脱自在な他方の外蓋とを備え、一方の外蓋とカウンターの端部とを接近させて前後で対向させ、他方の外蓋とカウンターの端部とを前後で対向させない浴室において、作業口及び内蓋が、エプロン本体における一方の外蓋と前後で対向する領域及び他方の外蓋と前後で対向する領域の両方に跨がる大きさに形成されていることを特徴とする浴槽エプロン及びカウンターを備えた浴室である。
【０００６】
請求項１記載の本発明は、一方の外蓋が分離不可能な場合であっても、エプロン本体から他方の外蓋及び内蓋を分離したとき、作業口が一方の外蓋と前後で対向する領域まで入り込むように開口する。
【０００７】
浴槽エプロンで覆われた浴槽設置側領域の内のカウンターと対向する側の一方側領域に対する作業をし易くするために請求項２記載の本発明が採用した手段は、洗い場側空間に面する浴槽エプロンと、下方に洗い場側空間の一部を開けて左右側のいずれか一方側に配置したカウンターとを備え、浴槽エプロンは、作業口を開口して左右方向へ延びるエプロン本体と、エプロン本体に着脱可能に取付けて作業口を覆う内蓋と、エプロン本体の一方側を覆う一方の外蓋と、一方の外蓋に隣接してエプロン本体の他方側を覆う着脱自在な他方の外蓋とを備え、一方の外蓋とカウンターの端部とを接近させて前後で対向させ、他方の外蓋とカウンターの端部とを前後で対向させない浴室において、作業口が、他方の外蓋と前後で対向する位置に設けられて、一方側の開口縁部の一部又は全部を両方の外蓋の境界と前後で対向させ、この作業口を覆う内蓋が、エプロン本体の内の一方の外蓋と前後で対向する領域まで延びる大きさに形成されていることを特徴とする浴槽エプロン及びカウンターを備えた浴室である。
【０００８】
請求項２記載の本発明は、一方の外蓋が取外し不可能な場合であって、エプロン本体から他方の外蓋及び内蓋を分離したとき、作業口が一方の外蓋と前後で対向する際まで開口する。
【０００９】
一方の外蓋と対向する領域まで入り込んだ内蓋の部分をエプロン本体へ簡単に圧着できるようにするたに請求項３記載の本発明が採用した手段は、前記エプロン本体の内の前記一方の外蓋と前後で対向する領域に、エプロン本体へ向かって弾圧する押圧片を備えた取付具が設けられ、他方から一方へ向かってエプロン本体と押圧片の間へ差し込んだ前記内蓋の縁部をエプロン本体に圧着させた請求項１又２記載の浴槽エプロン及びカウンターを備えた浴室である。
【００１０】
請求項３記載の本発明は、内蓋の縁部を、エプロン本体と押圧片の間へ差し込むだけでエプロン本体に圧着できる。
【００１１】
浴槽エプロンで覆われた浴槽設置側領域とカウンターの内側との間で配管を行なえるようにするために請求項４記載の本発明が採用した手段は、前記エプロン本体及び前記一方の外蓋の各々における前記カウンターの端部と前後で対向する領域内に、配管を通すための配管挿通部が開設され、前記内蓋が、これら配管挿通部と前後方向で見たときに重なり合わない大きさに形成されている請求項１、２又３記載の浴槽エプロン及びカウンターを備えた浴室である。
【００１２】
請求項４記載の本発明は、エプロン本体から他方の外蓋及び内蓋を分離して作業口を開口することで、洗い場側から浴槽設置側領域の内の一方側領域での配管作業が可能となり、エプロン本体及び一方の外蓋の配管挿通部へ配管を通すことができる。
【発明の効果】
【００１３】
請求項１記載の本発明に係る浴槽エプロン及びカウンターを備えた浴室は、作業口が一方の外蓋と前後で対向する領域まで入り込んで開口するので、エプロン本体で覆われた浴槽設置側領域の内のカウンターと対向する一方側領域に対する作業を、洗い場側空間のカウンターに隣接する他方側の部分から作業口を介して容易にできる。
【００１４】
請求項２記載の本発明に係る浴槽エプロン及びカウンターを備えた浴室は、作業口が一方の外蓋と前後で対向する際まで開口するするので、エプロン本体で覆われた浴槽設置側領域の内のカウンターと対向する一方側領域に対する作業を、洗い場側空間のカウンターに隣接する他方側の部分から作業口を介して容易にできる。
【００１５】
請求項３記載の本発明に係る浴槽エプロン及びカウンターを備えた浴室は、一方の外蓋と対向する領域に入り込んだ内蓋の部分を、一方の外蓋が邪魔して洗い場側からビス止めできなくてもエプロン本体へ簡単に圧着できるため、内蓋の着脱作業を容易にできる。
【００１６】
請求項４記載の本発明に係る浴槽エプロン及びカウンターを備えた浴室は、浴槽設置側領域の一方側領域とカウンターの内側との間で、エプロン本体及び一方の外蓋の配管挿通部を介して配管することができる。
【発明を実施するための最良の形態】
【００１７】
本発明に係る浴槽エプロン及びカウンターを備えた浴室（以下、「本発明浴室」と言う。）を図面に示す実施の形態に基づいて説明する。
【００１８】
（第１の実施の形態）
図１乃至図７は本発明浴室の第１の実施の形態を示すものであって、図１は本発明浴室１の左右の中間及び上側を省略すると共に洗い場防水パン８及びカウンター６を断面した正面図である。図２は図１のＩＩ−ＩＩ線で断面して拡大した平面図であり、図（Ａ）は一方の外蓋５Ａ及び内蓋４Ａを取付た状態を示し、図（Ｂ）は開口した作業口３ａ−１を介して洗い場側空間Ｓ側から浴槽設置側領域Ｊの内の一方側領域Ｊａに対して作業ができる状態を示すものである。図３は浴槽エプロン２とカウンター６の接近した箇所を示す斜視図であり、図（Ａ）は他方の外蓋５Ｂを取付けた状態を示し、図（Ｂ）は作業口３ａ−１を開口した状態を示すものである。図４は図１のＩＶ−ＩＶ線で断面して拡大した左側面図である。図５は主要構成部材を分離した状態の正面図であって、図（Ａ）は左側を省略したエプロン本体３を示し、図（Ｂ）は一方の外蓋５Ａを示し、図（Ｃ）は左側を省略した他方の外蓋５Ｂを示し、図（Ｄ）は一方の内蓋４Ａを示すものである。図６はエプロン本体３に一方の内蓋４Ａの一方側縁部４Ａ’を取付る取付け構造１０の別態様を示す正面図、図７は図６のＶＩＩ−ＶＩＩ線で断面して拡大した平面図である。
【００１９】
本発明浴室１は、図４及び図１に示す如く、浴槽７の上縁部７ａと洗い場防水パン８の間に配置して浴室内の洗い場側空間Ｓに面する浴槽エプロン２と、下方の洗い場床面Ｇとの間に洗い場側空間Ｓの一部Ｓａを開けて配置したカウンター６を備えている。カウンター６は、壁パネル１９に取付る等して配置してある。浴槽エプロン２は、従来と同様に、作業口３ａを開口して左右方向へ延びるエプロン本体３と、エプロン本体３に着脱可能に取付けて作業口３ａを覆う内蓋４と、エプロン本体３に取付けてエプロン本体３及び内蓋４を覆う外蓋５とを備え、外蓋５を一方（本例では、右方）の外蓋５Ａと他方（本例では、左方）の外蓋５Ｂとに分割し、一方の外蓋５Ａとカウンター６の端部６ａ（本例では後端部）とを接近させて前後で対向させ、他方の外蓋５Ｂとカウンター６の端部６ａとを前後で対向させないようにしてある。エプロン本体３は、上部３ｃを浴槽７の上縁部７ａに接続すると共に下部３ｄを洗い場防水パン８に接続してある。内蓋４は、エプロン本体３にビス９等で水密状態で取付けて作業口３ａを覆っている。他方の外蓋５Ｂは、エプロン本体３に対して着脱自在に取付けられ、洗い場側空間Ｓ側から着脱操作ができるようになっている。両方の外蓋５Ａ，５Ｂは、エプロン本体３に取付けたとき、表面が面一となるように形成されている。
【００２０】
本実施の形態に係る本発明浴室１は、図１に示す如く、作業口３ａとして一方及び他方に位置する二個の作業口３ａ−１，３ａ−２を備えると共に、内蓋４として各作業口に対応して二個の内蓋４Ａ，４Ｂを備え、一方及び他方の作業口３ａ−１，３ａ−２及び内蓋４Ａ，４Ｂを左右対称の形状とすることで、カウンター６を一方又は他方のいずれかに配置することを可能しと、一方及び他方の作業口３ａ−１，３ａ−２及び内蓋４Ａ，４Ｂをカウンター６の端部６ａと前後で対向しないようにしてある。
【００２１】
本発明浴室１の改良点は、図１乃至図３に示す如く、作業口３ａ及び内蓋４（本例では、一方の作業口３ａ−１及び一方の内蓋４Ａ）を、エプロン本体３における一方の外蓋５Ａと前後で対向する領域Ｅ及び他方の外蓋５Ｂと前後で対向する領域Ｆの両方に跨がる大きさに形成したことである。本発明浴室１は、カウンター６が邪魔となってエプロン本体３から一方の外蓋５Ａを分離することが不可能であったとしても、エプロン本体３から他方の外蓋５Ｂ及び内蓋４（本例では、一方の内蓋４Ｂ）を分離したとき、作業口３（本例では、一方の作業口３ａ−１）が一方の外蓋５Ａと前後で対向する領域Ｅまで入り込むように大きく開口するので、図２（Ｂ）に示すように、エプロン本体３で覆われた浴槽設置側領域Ｊの内のカウンター６と前後で対向する側の一方側領域Ｊａに対する配管や保守点検等の作業を、白抜き矢符Ｎに示すように洗い場空間Ｓのカウンター隣接他方部分（カウンター６に隣接する他方側の部分）Ｓｂから大きく開口した作業口３ａ−１を介して容易に行うようにすることができる。
【００２２】
本実施の形態において、一方の作業口３ａ−１及び一方の内蓋４Ａは、その一方寄りの一部を前記両方の領域Ｅ，Ｆに跨がらせつつ、前後方向でみたときにカウンター６の端部６ａと重なり合わない大きさに形成してあるが、これに限定するものではなく、図示は省略したが、その一方寄りの全部を両方の領域Ｅ及び領域Ｆに跨がらせつつ、前後方向でみたときにカウンター６の端部６ａと跨がった部分の一部が重なり合う大きさに形成することも勿論可能である。
【００２３】
前記一方の内蓋４Ａは、エプロン本体３に対する取付けをビス９で行ない、洗い場側空間Ｓ側からビス９を螺脱着するようにしてある。一方の内蓋４Ａの内の一方の外蓋５Ａと前後で対向する部分をエプロン本体３に着脱する作業については、一方の外蓋５Ａが邪魔となってドライバー（図示略）によるビス９の螺脱着ができないとき、頭部が六角形のビス９’（図２（Ａ）参照）を用いると共に、内蓋４Ａと外蓋５Ａとの間の隙間を利用して板レンチ等で螺脱着すればよい。
【００２４】
前記一方の内蓋４Ａの内の外蓋５Ａと前後で対向する部分に対する着脱作業を簡単にできるようにするために、本実施の形態に係る本発明浴室１は、図６及び図７に示す取付け構造１０を採用することもある。この取付け構造１０は、エプロン本体３の内の一方の外蓋５Ａと前後で対向する領域Ｅに、エプロン本体３へ向かって弾圧する押圧片１１ａを備えた取付具１１をビス１２等で取着したものであって、他方から一方へ向かってエプロン本体３と押圧片１１ａの隙間Ｋへ差し込んだ一方の内蓋４Ａの一方縁部４Ａ’を、エプロン本体３に圧着したものである。取付具１１は、内蓋４Ａの一方縁部４Ａ’の形状に応じて、図６（Ａ）に示すように、屈折させた形状や直線形状（図示略）に形成する。取付け構造１０は、エプロン本体３及び一方の内蓋４Ａのいずれか一方又は両方にパッキン１３を予め取着し、両者３，４Ａの間の水密性を高めるようにしてある。取付け構造１０は、内蓋４Ａの一方縁部４Ａ’を隙間Ｋへ差し込むだけでエプロン本体３に圧着させることができるので、内蓋４Ａの着脱作業を容易にすることが可能となる。
【００２５】
本実施の形態に係る本発明浴室１は、図１及び図３（Ａ）に示す如く、エプロン本体３で覆われた浴槽設置側領域Ｊ（図２（Ａ）参照）とカウンター６の内側６ｂとの間で配管１４，１４を通すことができるようにするために、エプロン本体３及び一方の外蓋５Ａの各々におけるカウンター６の端部６ａと前後で対向する領域内に、配管挿通部５ｅ，３ｅ（図５（Ａ）（Ｂ）参照）を開設すると共に、内蓋４Ａをこれら配管挿通部５ｅ，３ｅと前後方向で見たときに重なり合わない大きさに形成してある。本発明浴室１は、図２に示す如く、エプロン本体３から他方の外蓋５Ｂ及び一方の内蓋４Ａを分離して作業口３ａ−１を開口することで、洗い場側空間Ｓ側から浴槽設置側領域Ｊの内の一方側領域Ｊａ（カウンター６と対向する側）での配管等の作業が可能となる。なお、本例では、エプロン本体３へ湯配管１４及び水配管１４の二本を通すために二個の挿通孔かなる配管挿通部５ｅ，５ｅを開設してある。各配管１４は、各配管挿通部５ｅの周縁に配管１４に設けたフランジを接合する等して、エプロン本体３に固定して配管作業をし易くすることもある。
【００２６】
（第２の実施の形態）
図８及び図９は本発明浴室の第２の実施の形態を示すものであり、図８は本発明浴室２１の右側寄りを拡大したものであって、図（Ａ）は一方及び他方の外蓋５Ａ，５Ｂの一部並びに内蓋４Ａの一部を破断した正面図、図（Ｂ）は作業口３ａ−１を開口した状態を示す正面図である。図９は本発明浴室２１の右側寄りを拡大したものであって、エプロン本体３に対する一方の内蓋４Ａの別態様の取付け構造を備えたものであり、図（Ａ）は一方及び他方の外蓋５Ａ，５Ｂの一部並びに一方の内蓋４Ａの一部を破断した正面図、図（Ｂ）は作業口３ａ−１を開口した状態を示す正面図である。
【００２７】
本実施の形態に係る本発明カウンター２１が前記第１の実施の形態に係る本発明カウンター１（図１乃至図５参照）と大きく異なる点は、図８に示す如く、作業口３ａ−１が、他方の外蓋５Ｂと前後で対向する位置に設けられて、一方側の開口縁部３ａ−１’の一部又は全部を両方の外蓋５Ａ，５Ｂの境界と前後で対向させ、この作業口３ａ−１を覆う内蓋４Ａが、その一方縁部４Ａ’をエプロン本体３の内の一方の外蓋５Ａと前後で対向する領域まで延ばした大きさに形成されたことであり、その他の構成等については第１の実施の形態と実質的に同一であり、図８に（Ａ）（Ｂ）おいて図１乃至図５と同一符号は相当部分を示す。
【００２８】
本発明カウンター２１は、一方の外蓋５Ａが取外し不可能な場合であって、エプロン本体３から他方の外蓋５Ｂ及び内蓋４Ａを分離したとき、作業口３ａ−１が一方の外蓋５Ａと対向する際まで開口するので、エプロン本体３で覆われた浴槽設置側領域Ｊの内のカウンターと対向する一方側領域Ｊａ（図２（Ｂ）参照）に対する作業を、洗い場側空間Ｓのカウンター６に隣接するカウンター隣接他方部分Ｓｂから開口状態の作業口３ａ−１を介して容易にできる。
【００２９】
前記一方の内蓋４Ａは、エプロン本体３に対する取付けをビス９で行ない、洗い場側空間Ｓ側からビス９を螺脱着するようにしてある。一方の内蓋４Ａの内の一方の外蓋５Ａと前後で対向する部分をエプロン本体３に着脱する作業については、前記第１の実施の形態と同様に、頭部が六角形のビス９’を用いると共に、内蓋４Ａと外蓋５Ａとの間の隙間を利用して板レンチ等で螺脱着すればよい。
【００３０】
また、一方の内蓋４Ａの着脱の作業を簡単にできるようにするために、図９（Ａ）（Ｂ）に示す取付け構造１０を採用することもある。この取付け構造１０は、第１の実施の形態（図６及び図７参照）と同様に、他方から一方へ向かってエプロン本体３と押圧片１１ａの隙間Ｋ（図７参照）へ差し込んだ一方の内蓋４Ａの一方縁部４Ａ’を、エプロン本体３に圧着したものである。
【図面の簡単な説明】
【００３１】
【図１】本発明浴室の第１の実施の形態を示すものであって、本発明浴室の左右の中間及び上側を省略すると共に洗い場防水パン及びカウンターを断面した正面図である。
【図２】図１のＩＩ−ＩＩ線で断面して拡大した平面図であり、図（Ａ）は一方の外蓋及び内蓋を取付た状態を示し、図（Ｂ）は開口した作業口を介して洗い場側空間から浴槽設置側領域の内の一方側領域に対して作業ができる状態を示すものである。
【図３】第１の実施の形態における浴槽エプロンとカウンターの接近した箇所を示す斜視図であり、図（Ａ）は他方の外蓋を取付けた状態を示し、図（Ｂ）は作業口を開口した状態を示すものである。
【図４】図１のＩＶ−ＩＶ線で断面して拡大した左側面図である。
【図５】第１の実施の形態における主要構成部材を分離した状態の正面図であって、図（Ａ）は左側を省略したエプロン本体を示し、図（Ｂ）は一方の外蓋を示し、図（Ｃ）は左側を省略した他方の外蓋を示し、図（Ｄ）は一方の内蓋を示すものである。
【図６】第１の実施の形態におけるエプロン本体に一方の内蓋の一方側縁部を取付る取付け構造の別態様を示す正面図である。
【図７】図６のＶＩＩ−ＶＩＩ線で断面して拡大した平面図である。
【図８】本発明浴室の第２の実施の形態を示すものであり、本発明浴室の右側寄りを拡大したものであって、図（Ａ）は一方及び他方の外蓋の一部並びに一方の内蓋の一部を破断した正面図、図（Ｂ）は作業口を開口した状態を示す正面図である。
【図９】第２の実施の形態における本発明浴室の右側寄りを拡大したものであって、エプロン本体に対する一方の内蓋の別態様の取付け構造を備えたものであり、図（Ａ）は一方及び他方の外蓋の一部並びに一方の内蓋の一部を破断した正面図、図（Ｂ）は作業口を開口した状態を示す正面図であるである。
【図１０】従来の浴槽エプロン及びカウンターを備えた浴室を示すものであって、外蓋の一部を破断した正面である。
【符号の説明】
【００３２】
１…本発明浴室、２…浴槽エプロン、３…エプロン本体、３ａ…作業口、４…内蓋、５…外蓋、５Ａ…一方の外蓋、５Ｂ…他方の外蓋、６…カウンター、６ａ…端部、１１ａ…押圧片、１１…取付具、Ｅ…一方の外蓋５Ａと前後で対向する領域、Ｆ…他方の外蓋５Ｂと前後で対向する領域、Ｋ…エプロン本体３と押圧片１１ａの隙間、Ｓ…洗い場側空間、Ｓａ…一部
【図１】
0004956389.tif 000002
【図２】
0004956389.tif 000003
【図３】
0004956389.tif 000004
【図４】
0004956389.tif 000005
【図５】
0004956389.tif 000006
【図６】
0004956389.tif 000007
【図７】
0004956389.tif 000008
【図８】
0004956389.tif 000009
【図９】
0004956389.tif 000010
【図１０】
0004956389.tif 000011